(57)【要約】【課題】塵埃吸引装置のファンに吸引した塵埃のファン表面への付着、堆積を防止して塵埃吸引装置の吸引風量が低下による、塵埃の吸引性能の低下を防止し、信頼性の高い空気調和機の塵埃吸引装置を提供する。【解決手段】塵埃吸引装置３０のファン３４を定期的に逆回転させることにより、ファン逆回転時に遠心力の効果でファン表面に付着した塵埃を剥離、離脱させることにより、塵埃吸引装置３０のファン３４に吸引した塵埃のファン表面への付着、堆積にともなう塵埃吸引装置の吸引風量の低下を防止する。【選択図】図８
2006105439.tif 000002
【特許請求の範囲】
【請求項１】
熱交換器を通過する空気の塵埃を除去するエアフィルターと、前記エアーフィルターに沿って移動可能な吸引ノズルと、前記吸引ノズルに連結された塵埃吸引装置により構成されるフィルター装置を具備した空気調和機において、前記塵埃吸引装置のファンを定期的に逆回転させることを特徴とする空気調和機の塵埃吸引装置の制御方法。
【請求項２】
前記塵埃吸引装置のファンを定期的に塵埃吸引時の正回転時の回転数よりも高い回転数で逆回転させることを特徴とする請求項１に記載の空気調和機の塵埃吸引装置の制御方法。
【発明の詳細な説明】
【技術分野】
【０００１】
本発明は、エアフィルターの清掃を自動的に行うようにした空気調和機の塵埃吸引装置の制御方法に関するものである。
【背景技術】
【０００２】
従来の空気調和機は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００３】
このため、フィルターのメンテナンスの手間を低減する目的で、エアフィルターに付着した塵埃をブラシにて定期的に清掃する自動清掃装置が考案されている（例えば、特許文献１参照）。
【特許文献１】特開平６−７４５２１号公報
【発明の開示】
【発明が解決しようとする課題】
【０００４】
しかしながら、上記従来技術ではブラシとエアフィルターがお互いにこすられるためブラシに塵埃が絡みついたり、ブラシが摩耗もしくは変形して機能低下するなどの問題があった。また、ある程度の時間が経過したらブラシで掻き落として集めた塵埃を処理しなくてはならずメンテナンスの手間が大幅に軽減されるものではなかった。こうした観点からエアフィルターの自動清掃装置として好ましいのはフィルターに付着した塵埃を吸引ノズルを介して塵埃吸引装置により吸引清掃し、吸引された塵埃は室外へ排出する清掃方法が好ましい。
【０００５】
こうした方法においては、塵埃吸引装置のファンに吸引した塵埃がファン表面に付着、堆積して塵埃吸引装置の吸引風量が低下し、塵埃の吸引性能が低下し、最悪の場合、塵埃の吸引が不可能になる場合があるという課題があった。
【０００６】
本発明は、前記従来の課題を解決するもので、塵埃吸引装置のファンに吸引した塵埃のファン表面への付着、堆積を防止して塵埃吸引装置の吸引風量が低下による、塵埃の吸引性能の低下を防止し、信頼性の高い空気調和機の塵埃吸引装置の制御方法を提供することを目的とする。
【課題を解決するための手段】
【０００７】
前記従来の課題を解決するために、本発明の空気調和機の塵埃吸引装置の制御方法は塵埃吸引装置のファンを定期的に逆回転させるものである。
【０００８】
これによって、ファン逆回転時に遠心力の効果でファン表面に付着した塵埃を剥離、離脱させることにより、塵埃吸引装置のファンに吸引した塵埃のファン表面への付着、堆積にともなう塵埃吸引装置の吸引風量の低下を防止することにより塵埃の吸引性能の低下を防ぎ、信頼性の高い空気調和機の塵埃吸引装置を提供することが可能となる。
【０００９】
また、本発明の空気調和機の塵埃吸引装置の制御方法は塵埃吸引装置のファンを定期的に塵埃吸引時の正回転時の回転数よりも高い回転数で逆回転させるものである。
【００１０】
これによって、ファン逆回転時に高速回転による遠心力大の効果でファン表面に付着した塵埃をより効果的に剥離、離脱させることにより、塵埃吸引装置のファンに吸引した塵埃のファン表面への付着、堆積にともなう塵埃吸引装置の吸引風量の低下を防止し、塵埃の吸引性能の低下を防ぎ、さらに信頼性の高い空気調和機の塵埃吸引装置を提供することが可能となる。
【発明の効果】
【００１１】
本発明の空気調和機の塵埃吸引装置の制御方法は、信頼性の高い空気調和機の塵埃吸引装置を提供することにより、エアフィルターの目詰まりに起因する、熱交換器の通過風量の低下による空調能力の低下、消費電力の増大を防止することができる。
【発明を実施するための最良の形態】
【００１２】
第１の発明は、熱交換器を通過する空気の塵埃を除去するエアフィルターと、前記エアーフィルターに沿って移動可能な吸引ノズルと、前記吸引ノズルに連結された塵埃吸引装置により構成されるフィルター装置を具備した空気調和機において、前記塵埃吸引装置のファンを定期的に逆回転させることにより、ファン逆回転時に遠心力の効果でファン表面に付着した塵埃を剥離、離脱させることにより、塵埃吸引装置のファンに吸引した塵埃のファン表面への付着、堆積にともなう塵埃吸引装置の吸引風量の低下を防止することにより塵埃の吸引性能の低下を防ぎ、信頼性の高い空気調和機の塵埃吸引装置を提供することができる。
【００１３】
第２の発明は、塵埃吸引装置のファンを定期的に塵埃吸引時の正回転時の回転数よりも高い回転数で逆回転させることにより、ファン逆回転時に高速回転による遠心力大の効果でファン表面に付着した塵埃をより効果的に剥離、離脱させることにより、塵埃吸引装置のファンに吸引した塵埃のファン表面への付着、堆積にともなう塵埃吸引装置の吸引風量の低下を防止し、塵埃の吸引性能の低下を防ぎ、さらに信頼性の高い空気調和機の塵埃吸引装置を提供することができる。
【００１４】
以下本発明の実施の形態について図面を参照して説明する。なお、この実施の形態によって本発明が限定されるものではない。
【００１５】
（実施の形態１）
図１は本発明の第１の実施の形態における空気調和機の室内機の正面外観図、図２は同室内機のＩ−Ｉ線矢視断面図、図３は同室内機のＩＩ−ＩＩ線矢視断面図、図４は同室内機のエアフィルターおよびその清掃機構に関する構造を示した斜視図、図５は同室内機に設けられた塵埃吸引装置の簡略的な側面図、図６は同塵埃吸引装置の斜視図、図７は同塵埃吸引装置の概略的な正面断面図である。
【００１６】
図１〜図３に示すように、この空気調和機における室内機１は、両側面部や底面部をなす台枠２と、室内機１の前面部および上面部箇所に設けられ、網目状のフィルター部８ａがフィルター枠８ｂに多数はめ込まれてなるエアフィルター８と、このエアフィルター８の前方ならびに上方に開閉自在に取り付けられた外面パネル４などで主な外殻部分が構成されている。外面パネル４の上面部と前面部とにはそれぞれ室内空気を吸い込む吸い込み部５、６が形成され、下部前方に吹き出し部７が形成されている。室内機１内における吸い込み部５、６と吹き出し部７とを結ぶ空気通路には、前記エアフィルター８と２個の熱交換器９Ａ、９Ｂからなる熱交換器９とクロスフローファンからなる送風ファン１０とが配置されており、送風ファン１０によって吸い込み部５、６から吸込まれた空気はエアフィルター８を通り、熱交換器９で冷却もしくは加熱された後、吹き出し部７を囲むように一方の熱交換器９Ａが送風ファン１０の上方から前方にわたって配置され、他方の熱交換器９Ｂが送風ファン１０の上方から後方にわたって配置されている。送風ファン１０による空気の送り出しをスムーズならしめるために、室内機１の背面近傍にリアガイダ１１が設けられるとともに、スタビライザ１２が水受け皿１３の端部に設けられている。なお、１４は風向き変更羽根である。
【００１７】
図４にも示すように、室内機１内の側面近傍には、エアフィルター８に付着した塵埃を吸引して排出するための塵埃吸引装置３０が設置されている。この塵埃吸引装置３０の吸い込み側部分（吸い込みダクト接続口３１）には、蛇腹形状の吸い込みダクト１５を介して吸い込みノズル１６が接続されているとともに、塵埃吸引装置３０の吹き出し側部分（排気ダクト接続口３２）には、その先端が室外へ連通されている排気ダクト１７が接続されている。
【００１８】
吸い込みノズル１６は、エアフィルター８の風上側の面に臨むように奥行方向ならびに上下方向に延設された形状に形成されているとともに、その奥端部や下端部が、エアフィルター８のフィルタ枠８ｂにおける上部奥端部や下端部に形成されたガイド溝８ｃ、８ｄに挿入され、エアフィルター８の風上側面に沿う姿勢で左右に移動自在に案内されている。また、吸い込みノズル１６の下部は、左右に延びるように配置されたねじ軸１８に螺合されており、伝達ギヤ１９、２０を介してねじ軸１８をノズル駆動用モータ２１により駆動することで、吸い込みノズル１６が左右に移動される。
【００１９】
吸い込みノズル１６におけるエアフィルター８に臨む面には、エアフィルター８の上面部から前面部にかけて複数の吸い込み孔１６ａが並んで形成され、後述する塵埃吸引装置３０の吸引動作により、各吸い込み孔１６ａからエアフィルター８の塵埃を吸い込み可能に構成されている。
【００２０】
吸い込みノズル１６と塵埃吸引装置３０の吸い込みダクト接続口３１とをつなぐ吸い込みダクト１５は、一部が屈曲することで、エアフィルター８の左右方向の位置にかかわらず、塵埃吸引装置３０への吸入用流路を良好に形成するようになっている。
【００２１】
図５〜図７に示すように、塵埃吸引装置３０は、吸排気モータ３３により回転される遠心式のファン３４と、このファン３４を収容するケーシング３５と、このケーシング３５の風上側にケーシング３５と一体的に設けられた吸引カバー３６と、ケーシング３５などが取り付けられている取付基板３７とを有する。
【００２２】
この構成において、エアフィルター８の清掃を行う際には、所定の操作を行うなどして（例えば、清掃用ボタンを押すなどして）、吸排気モータ３３を吸引のため正転させるとともに、ノズル駆動用モータ２１を駆動させる。すると、塵埃吸引装置３０が作動した状態で、吸い込みノズル１６がエアフィルター８の風上側の面に沿って移動し、この際、エアフィルター８に付着した塵埃が空気とともに吸い込み孔１６ａを通して吸い込みノズル１６内に吸い込まれ、吸い込みダクト１５から塵埃吸引装置３０に吸引された塵埃が空気とともに排気ダクト１７を通して室外に排出される。これにより、エアフィルター８の塵埃を自動で室外に排出でき、塵埃の清掃作業を人が行わなくて済んでメンテナンスフリーを実現できる。
【００２３】
ここで、長期に使用する場合、ファン３４の表面に塵埃が堆積する可能性がある。このため、本発明ではファン３４を定期的に逆回転させ、ファン逆回転時に遠心力の効果でファン３４表面に付着した塵埃を剥離、離脱させることにより、ファン３４に吸引した塵埃のファン３４表面への付着、堆積にともなう塵埃吸引装置の吸引風量の低下を防止することにより塵埃の吸引性能の低下を防ぎ、信頼性の高い空気調和機の塵埃吸引装置を提供することができる。ファン３４を逆回転させるタイミングは、特に制限はないが、図８のタイムチャートに示すようなエアフィルター８の塵埃吸引終了後あるいは図９のタイムチャートに示すようなエアフィルター８の塵埃吸引開始前、あるいは塵埃の吸引性能の低下を防止できる任意の周期であればよい。
【００２４】
さらに、図１０のタイムチャートに示すようにファン３４を定期的に塵埃吸引時の正回転時の回転数よりも高い回転数で逆回転させることにより、ファン逆回転時に遠心力の効果でファン３４表面に付着した塵埃を剥離、離脱させることにより、ファン３４に吸引した塵埃のファン３４表面への付着、堆積にともなう塵埃吸引装置の吸引風量の低下を防止することが可能となり、塵埃の吸引性能の低下を防ぎ、さらに信頼性の高い空気調和機の塵埃吸引装置を提供することができる。この場合においても、逆回転の周期、時間は塵埃の吸引性能の低下を防止できる任意の周期であればよい。
【産業上の利用可能性】
【００２５】
本発明にかかる空気調和機は、空気調和機以外でも、エアフィルターを有し、室外に排気可能な環境に設置される機器に対しても適用可能である。
【図面の簡単な説明】
【００２６】
【図１】本発明の実施の形態１における空気調和機の室内機の正面外観図
【図２】同室内機のＩ−Ｉ線矢視断面図
【図３】同室内機のＩＩ−ＩＩ線矢視断面図
【図４】同室内機のエアフィルターおよびその清掃機構に関する構造を示した斜視図
【図５】同室内機に設けられた吸排気装置の簡略的な側面図
【図６】同塵埃吸引装置の斜視図
【図７】同塵埃吸引装置の概略的な正面断面図
【図８】本発明の実施の形態１における塵埃吸引装置の制御タイムチャート
【図９】本発明の実施の形態１における塵埃吸引装置の制御タイムチャート
【図１０】本発明の実施の形態１における塵埃吸引装置の制御タイムチャート
【符号の説明】
【００２７】
１  室内機
５、６  吸い込み部
７  吹き出し部
８  エアフィルター
９、９Ａ、９Ｂ  熱交換器
１０  送風ファン
１５  吸い込みダクト
１６  吸い込みノズル
１６ａ  吸い込み孔
１８  ねじ軸
２１  ノズル駆動用モータ
３０  塵埃吸引装置
３１  吸い込みダクト接続口
３２  排気ダクト接続口
３３  吸排気モータ
３４  吸排気ファン
３５  ケーシング
３６  吸引カバー
３８  吸い込み口
【図１】
2006105439.tif 000003
【図２】
2006105439.tif 000004
【図３】
2006105439.tif 000005
【図４】
2006105439.tif 000006
【図５】
2006105439.tif 000007
【図６】
2006105439.tif 000008
【図７】
2006105439.tif 000009
【図８】
2006105439.tif 000010
【図９】
2006105439.tif 000011
【図１０】
2006105439.tif 000012